(57)【要約】【課題】複数の照光領域を個別に照光する際に、コストを増大させることなく、領域間の漏れ光を軽減することができる導光シート、接点ばね付きシート及びスイッチ装置を提供すること。【解決手段】光源ユニット５からの光を照光領域１６に導光し、導光した光を照光領域１６において出光する導光シート１３であって、複数のスリット３１によって多色照光領域１６Ａ1-4と白色照光領域１６Ｂとに区画される。シート端面３５とスリット３１によって区画された多色照光領域１６Ａ1には、出射方向がシート端面３５に向くように光源ユニット５Ｒ3が配置され、白色照光領域１６Ｂへの赤色光の漏れ光を軽減する。【選択図】図５
2011181211.tif 000002
【特許請求の範囲】
【請求項１】
光源からの光を照光領域に導光し、導光した光を前記照光領域において出光する導光シートであって、
スリットによって複数の照光領域が区画され、前記複数の照光領域のうちシート端面とスリットによって区画された第１の照光領域は、第１の光源からの光の入光方向が当該シート端面に向くように配置された第１の入光部を有することを特徴とする導光シート。
【請求項２】
前記第１の照光領域は、前記第１の光源とは異なる発光色の第２の光源から入光される第２の入光部を有する多色用の照光領域であり、
前記第２の入光部は、前記第２の光源からの光の入光方向が前記第１の照光領域を区画するシート端面に向くと共に、前記第１の光源からの光の入光方向と交差するように配置されたことを特徴とする請求項１に記載の導光シート。
【請求項３】
前記多色用の照光領域は、前記多色用の照光領域以外の照光パターンよりも拡散性の大きい照光パターンが形成されたことを特徴とする請求項２に記載の導光シート。
【請求項４】
前記複数の照光領域のうち前記第１の照光領域に隣接する第２の照光領域は、第３の光源からの光の入光方向が前記第１の照光領域の前記第１の入光部に向くように配置された第３の入光部を有することを特徴とする請求項１から請求項３のいずれかに記載の導光シート。
【請求項５】
光源からの光を照光領域に導光し、導光した光を前記照光領域において出光する導光シートであって、
スリットによって複数の照光領域が区画され、前記複数の照光領域のうちシート端面とスリットによって区画された第１の照光領域は、第１の光源からの光の入光方向が当該シート端面に向くように配置された第１の入光部を有し、
前記複数の照光領域のうち前記第１の照光領域に隣接する第２の照光領域は、第３の光源からの光の入光方向が前記第１の照光領域の前記第１の入光部に向くように配置された第３の入光部を有することを特徴とする導光シート。
【請求項６】
前記複数の照光領域間には、前記スリットを跨ぐようにテープが貼られたことを特徴とする請求項１から請求項５のいずれかに記載の導光シート。
【請求項７】
請求項１から請求項６のいずれかに記載の導光シートと、前記導光シートに積層され、前記複数の照光領域に対応して複数の接点ばねを保持する保持シートとを備えたことを特徴とする接点ばね付きシート。
【請求項８】
請求項７に記載の接点ばね付きシートと、前記複数の接点ばねが離接する複数の固定接点及び複数の光源が設けられた基板とを備えたことを特徴とするスイッチ装置。
【請求項９】
前記複数の発光領域の輝度が均一となるように、前記複数の光源に対する電流値が制御されることを特徴とする請求項８に記載のスイッチ装置。
【発明の詳細な説明】
【技術分野】
【０００１】
本発明は、導光シート、接点ばね付きシート及びスイッチ装置に関し、特に、携帯電話等の小型の電子機器に組み込まれる導光シート、接点ばね付きシート及びスイッチ装置に関する。
【背景技術】
【０００２】
従来、携帯電話のような携帯端末の操作キーを照光する導光シートが開発されている。この導光シートは、透光性材料で形成されており、携帯端末の回路基板上に取り付けられる。また、導光シートの端部近傍には、光源が配置され、光源から出射された光は、導光シートの端面からシート内に入射される。シート内に入射された光は、携帯端末の操作キーに対応する位置に形成された照光領域で拡散され、操作キーを内側から点灯させる。
【０００３】
ところで、近年、携帯端末の機能の多様化に伴い、特定の操作キーを他の操作キーと異なる色で点灯させてユーザに対して操作方法を誘導する携帯端末が開発されている。この携帯端末では、特定の操作キーの照光領域と他の操作キーの照光領域とを異なる発光色で照光するため、隣接する照光領域間での混色を抑制する導光シートが用いられる（例えば、特許文献１参照）。特許文献１に記載の導光シートは、複数の照光領域をスリットで区画し、スリットの端面を遮光材で覆うことで領域間の漏れ光を軽減している。
【先行技術文献】
【特許文献】
【０００４】
【特許文献１】特開２００９−１４６６５３号公報
【発明の概要】
【発明が解決しようとする課題】
【０００５】
しかしながら、上記した特許文献１に記載の導光シートでは、スリット及び遮光材により領域間の漏れ光が軽減されるが、スリットの端面に遮光材を設けなければならず、製造工数が増加してコストが増大するという問題があった。
【０００６】
本発明はこのような実情に鑑みてなされたものであり、複数の照光領域を個別に照光する際に、コストを増大させることなく、領域間の漏れ光を軽減することができる導光シート、接点ばね付きシート及びスイッチ装置を提供することを目的とする。
【課題を解決するための手段】
【０００７】
本発明の導光シートは、光源からの光を照光領域に導光し、導光した光を前記照光領域において出光する導光シートであって、スリットによって複数の照光領域が区画され、前記複数の照光領域のうちシート端面とスリットによって区画された第１の照光領域は、第１の光源からの光の入光方向が当該シート端面に向くように配置された第１の入光部を有することを特徴とする。
【０００８】
この構成によれば、第１の入光部から第１の照光領域に入光した光が他の照光領域を通ることなくシート端面に向かうため、第１の照光領域から他の照光領域への漏れ光を軽減することができる。また、スリットに遮光材を設けることなく、他の照光領域への漏れ光を軽減することができるため、製造工程が増加することがなく、コストが増大することがない。
【０００９】
また本発明は、上記導光シートにおいて、前記第１の照光領域は、前記第１の光源とは異なる発光色の第２の光源から入光される第２の入光部を有する多色用の照光領域であり、前記第２の入光部は、前記第２の光源からの光の入光方向が前記第１の照光領域を区画するシート端面に向くと共に、前記第１の光源からの光の入光方向と交差するように配置されたことを特徴とする。
【００１０】
この構成によれば、第２の入光部から第１の照光領域に入光した光も他の照光領域を通ることなくシート端面に向かうため、第１の照光領域が多色用の照光領域であっても、他の照光領域への漏れ光を軽減することができる。また、第１の光源からの入光方向と第２の光源からの入光方向とが交差されるため、第１の入光部と第２の入光部とを離間することができる。これにより、第１の入光部と第２の入光部との間にスリットを設けて、光源近傍の強い光が他の照光領域に漏れるのを抑制することができる。なお、このスリットは導光シートを貫通して加工されることが望ましいが、必ずしも貫通している必要はなく、貫通していない場合でも遮光効果はある。
【００１１】
また本発明は、上記導光シートにおいて、前記多色用の照光領域は、前記多色用の照光領域以外の照光パターンよりも拡散性の大きい照光パターンが形成されたことを特徴とする。
【００１２】
この構成によれば、拡散性の大きい照光パターンを形成することで、例えば、多色用の照光領域で有色光が照光される場合に、照光領域において有色光を強く拡散して、白色光が照光される他の照光領域への漏れ光を軽減することができる。よって、隣接する照光領域での混色を抑制することができる。
【００１３】
また本発明は、上記導光シートにおいて、前記複数の照光領域のうち前記第１の照光領域に隣接する第２の照光領域は、第３の光源からの光の入光方向が前記第１の照光領域の前記第１の入光部に向くように配置された第３の入光部を有することを特徴とする。
【００１４】
また本発明の他の導光シートは、光源からの光を照光領域に導光し、導光した光を前記照光領域において出光する導光シートであって、スリットによって複数の照光領域が区画され、前記複数の照光領域のうちシート端面とスリットによって区画された第１の照光領域は、第１の光源からの光の入光方向が当該シート端面に向くように配置された第１の入光部を有し、前記複数の照光領域のうち前記第１の照光領域に隣接する第２の照光領域は、第３の光源からの光の入光方向が前記第１の照光領域の前記第１の入光部に向くように配置された第３の入光部を有することを特徴とする。
【００１５】
これらの構成によれば、第３の入光部から第２の照光領域に入光した光は、第１の入光部に光を入光する第１の光源の背面により遮光されるため、第２の照光領域から第１の照光領域への漏れ光を軽減することができる。
【００１６】
また本発明は、上記導光シートにおいて、前記複数の照光領域間には、前記スリットを跨ぐようにテープが貼られたことを特徴とする。
【００１７】
この構成によれば、テープにより導光シートの複数のスリットによって強度が低下した部分を補強することができる。
【００１８】
また本発明の接点ばね付きシートは、上記導光シートと、前記導光シートに積層され、前記複数の照光領域に対応して複数の接点ばねを保持する保持シートとを備えたことを特徴とする。
【００１９】
この構成によれば、導光シートの照光領域間の漏れ光を抑制した接点ばね付きシートを低コストで製造することができる。
【００２０】
また本発明のスイッチ装置は、上記接点ばね付きシートと、前記複数の接点ばねが離接する複数の固定接点及び複数の光源が設けられた基板とを備えたことを特徴とする。
【００２１】
この構成によれば、導光シートの照光領域間の漏れ光を抑制したスイッチ装置を低コストで製造することができる。
【００２２】
また本発明は、上記スイッチ装置において、前記複数の発光領域の輝度が均一となるように、前記複数の光源に対する電流値が制御されることを特徴とする。
【００２３】
この構成によれば、複数の照光領域の輝度を均一とし、有色光で照光される照光領域と白色光で照光される照光領域とにおける色の違いを際立たせることができる。
【発明の効果】
【００２４】
本発明によれば、導光シートの複数の照光領域を個別に照光する際に、コストを増大させることなく、領域間の漏れ光を軽減することができる。
【図面の簡単な説明】
【００２５】
【図１】本発明に係る導光シートの実施の形態を示す図であり、スイッチ装置の上面図である。
【図２】本発明に係る導光シートの実施の形態を示す図であり、図１に示すスイッチ装置のＡ−Ａ線に沿う断面図である。
【図３】本発明に係る導光シートの実施の形態を示す図であり、スイッチ装置の部分断面図である。
【図４】本発明に係る導光シートの実施の形態を示す図であり、光源ユニットの配置構成の説明図である。
【図５】本発明に係る導光シートの実施の形態を示す図であり、図４の部分拡大図である。
【図６】本発明に係る導光シートの実施の形態を示す図であり、導光シートの照光領域に形成された照光溝の説明図である。
【発明を実施するための形態】
【００２６】
以下、本発明の実施の形態について添付図面を参照して詳細に説明する。なお、本発明のスイッチ装置は、主として携帯電話、リモコン、オーディオ機器、及び電子カメラ等の各種電子機器に取り付けられ、入力操作部として機能するものである。図１を参照して、スイッチ装置の全体構成について説明する。図１は、本発明の実施の形態に係るスイッチ装置の上面図である。図２は、図１に示すスイッチ装置のＡ−Ａ線に沿う断面図である。なお、図１は、説明の便宜上、キーマット部材を省略して図を示している。
【００２７】
図１及び図２に示すように、本実施の形態に係るスイッチ装置１は、図示しない携帯電話の筐体内に組み込まれるものであり、複数の光源ユニット５Ｒ1-4、５Ｗ1-9と複数の固定接点６とが設けられた回路基板２を有している。回路基板２の上面には、接点ばね付きシート３が貼着されている。接点ばね付きシート３は、各固定接点６に配置される複数の接点ばね１２を保持する保持シート１１と、保持シート１１の上面に両面テープ１４を介して貼着された導光シート１３により構成される。
【００２８】
導光シート１３の上面には、各接点ばね１２に対応する位置に複数の照光領域１６が形成されている。各照光領域１６には、細かな照光溝１７（図６参照）により照光パターンが形成され、光源ユニット５から導光シート１３内に入射された光を上方に拡散または反射させ、出光する。なお、詳細は後述するが、照光溝１７は、各照光領域１６の形成箇所によって異なる深さに形成されている。
【００２９】
また、携帯電話の筐体には、回路基板２に対向するように図示しない操作パネルが設けられており、この操作パネルには固定接点６のそれぞれに対向するように操作キー１８が配置されたキーマット部材１９が設けられている。操作キー１８は、上面にキーの種類を示す文字部を有している。文字部は、透光性を有しており、照光領域１６に拡散された光により筐体内部から照光される。
【００３０】
回路基板２は、絶縁性材料により上面視略矩形の板状に形成されており、上面には複数の固定接点６および図示しない導体パターンが形成されている。複数の固定接点６は、それぞれ環状の周辺固定接点２１と、周辺固定接点２１の中央に位置する円形状の中央固定接点２２とから構成され、周辺固定接点２１および中央固定接点２２は導体パターンを介して図示しない制御部に接続されている。
【００３１】
複数の光源ユニット５Ｒ1-4、５Ｗ1-9は、発光ダイオード（ＬＥＤ）２４を有して構成され、導光シート１３の一端面に対して僅かに隙間を空けて配置される。この場合、光源ユニット５Ｒ1-4は、操作キー１８を赤色に点灯させる赤色ＬＥＤを有し、光源ユニット５Ｗ1-9は、操作キー１８を白色に点灯させる白色ＬＥＤを有している。光源ユニット５Ｒ1-4、５Ｗ1-9から出射された光線は、導光シート１３内を放射方向に伝搬して照光領域１６に導光される。
【００３２】
各接点ばね１２は、例えば、導電性のある金属板などによりドーム状に形成されている。各接点ばね１２は、膨出方向を上方に向けて周辺固定接点２１上に載置され、押圧操作による反転時に中央固定接点２２に接触可能に構成されている。したがって、押圧操作により接点ばね１２が反転されると、中央固定接点２２と周辺固定接点２１とが接点ばね１２を介して導通される。
【００３３】
保持シート１１は、上面視矩形状に形成されており、表面シート２６と、スペーサシート２７とを積層して構成されている。表面シート２６は、ポリエステル等の絶縁フィルムで平面視矩形状に形成されている。また、表面シート２６の下面には、全体的に接着剤が塗布されており、この接着剤により接点ばね１２が保持されると共に、スペーサシート２７が一体化される。
【００３４】
スペーサシート２７は、ポリエステル等の絶縁フィルムで平面視矩形状に形成されており、複数の固定接点６に対応する位置に、複数の接点ばね１２の収容部が形成されている。スペーサシート２７の下面には、全体的に接着剤が塗布されており、この接着剤により保持シート１１が複数の接点ばね１２を保持した状態で回路基板２の上面に貼着される。なお、図２に示す断面図では、３つの接点ばね１２の収容部が空気連通路により連通された部分を示している。
【００３５】
導光シート１３は、ポリカーボネイト樹脂等の透光性を有する透明フィルムで平面視矩形状に形成されている。また、導光シート１３には、特定の照光領域１６を区画するように、複数のスリット３１が形成されている。特定の照光領域１６とは、白色光及び赤色光によって照光される多色照光領域１６Ａ1-4である。すなわち、導光シート１３は、スリット３１によって多色照光領域１６Ａ1-4から他の照光領域への赤色光の漏れ光を軽減している。
【００３６】
多色照光領域１６Ａ1-4は、赤色ＬＥＤを有する光源ユニット５Ｒ1-4及び白色ＬＥＤを有する光源ユニット５Ｗ1-4によって多色照光される。この多色照光領域１６Ａ1-4に光を入光させる光源ユニット５Ｒ1-4、５Ｗ1-4は、出射方向をシート外側に向けて配置される。このため、光源ユニット５Ｒ1-4、５Ｗ1-4から出射された光がシート外側に伝搬されるため、他の照光領域への漏れ光が軽減される。なお、赤色光により多色照光領域Ａ1-4を照光する構成としたが、有色光であればよく、例えば、緑色光でも照光してもよい。
【００３７】
多色照光領域１６Ａ1-4以外の白色照光領域１６Ｂは、白色ＬＥＤを有する光源ユニット５Ｗ5-9によって白色照光される。この白色照光領域１６Ｂに光を入光させる光源ユニット５Ｗ5-9は、出射方向をシート内側に向けて配置される。このため、光源ユニット５Ｗ5-9から出射された光が複数の白色照光領域１６Ｂに伝搬され、複数の白色照光領域１６Ｂで照光させる。この場合、白色光は、周囲の照光領域への光漏れが問題とならないが、多色照光領域１６Ａ1-4に伝搬されないように配置角度や配置位置となっている。
【００３８】
図３を参照して、スイッチ装置の照光領域近傍及びスリット近傍について詳細に説明する。図３は、本発明の実施の形態に係るスイッチ装置の部分断面図であり、（ａ）が照光領域近傍、（ｂ）がスリット近傍をそれぞれ示している。
【００３９】
図３（ａ）に示すように、光源ユニット５内の発光ダイオード２４の発光中心と導光シート１３の厚さ方向の中心位置とが位置合わせされている。光源ユニット５内の発光ダイオード２４が発光した光は、導光シート１３に入射して導光シート１３の上下面で反射を繰り返しながら伝搬する。そして、導光シート１３内を伝搬した光は、導光シート１３の操作キー１８に対応する位置に形成された照光領域１６で反射および拡散され、操作キー１８に向けて出射される。
【００４０】
また、導光シート１３は、一様な透明フィルムにより形成されており、光源ユニット５から放射方向に出射された光を、平面視における放射方向に伝搬する。この構成により、導光シート１３は、光源ユニット５から出射された光を照光領域１６に伝搬し、操作キー１８の文字部を内側から均一に照光する。また、導光シート１３は、操作キー１８の押圧操作時の操作フィーリングに影響を与えない程度の薄さを有している。
【００４１】
このように構成されたスイッチ装置１において、操作キー１８が押圧されると、接点ばね１２が反転され、中央固定接点２２と周辺固定接点２１とが接点ばね１２を介して導通される。なお、本実施の形態においては、各照光領域１６を導光シート１３の上面の細かな照光溝１７により形成する構成としたが、この構成に限定されるものではない。導光シート１３内を伝搬する光を操作キー１８に向けて出射させる構成であればよく、例えば、照光領域１６を導光シート１３の下面の細かな照光溝により構成としてもよいし、白色ドットの印刷により構成するようにしてもよい。
【００４２】
また、図３（ｂ）に示すように、導光シート１３の一部においては、複数のスリット３１によって導光シート１３が分割されている。導光シート１３の上下面には、複数のスリット３１によって強度が低下した部分を補強するために、スリット３１を跨ぐようにテープ３２、３３が貼着されている。テープ３２は、黒色のテープであり、上面側から導光シート１３を補強する。テープ３３は、黒色の両面テープであり、保持シート１１の上面に貼着されて下面側から導光シート１３を補強する。テープ３２、３３は、黒色以外でもよく、遮光可能または反射可能なテープであればよい。
【００４３】
このスリット３１近傍では、照光領域１６を通ることで光量が費やされるため、複数のスリット３１に伝搬される光量が減少される。したがって、導光シート１３内を伝搬された光は、複数のスリット３１及びテープ３２、３３によって遮光され、隣接する照光領域１６への漏れ光が大幅に低減される。
【００４４】
図４及び図５を参照して、本発明の特徴部分である光源ユニットの配置構成について説明する。図４は、本発明の実施の形態に係るスイッチ装置の光源ユニットの配置構成の説明図であり、（ａ）が光源ユニットの配置構成、（ｂ）が各ＬＥＤの電流値設定をそれぞれ示している。図５は、図４の部分拡大図である。
【００４５】
図４（ａ）に示すように、導光シート１３の照光領域１６は、赤色又は白色で照光される多色照光領域１６Ａ1-4、白色で照光される白色照光領域１６Ｂに分けられている。また、導光シート１３には、複数の光源ユニット５Ｒ1-4、５Ｗ1-9が配置されている。多色照光領域１６Ａ1は、短手方向の一端に位置するシート端面３５と複数のスリット３１とによって四角形状に区画されており、光源ユニット５Ｒ3、５Ｗ3により照光される。多色照光領域１６Ａ2は、短手方向の一端に位置するシート端面３５及び長手方向の一端に位置するシート端面３６と複数のスリット３１とによって区画されており、光源ユニット５Ｒ4、５Ｗ4により照光される。
【００４６】
多色照光領域１６Ａ3は、短手方向の他端に位置するシート端面３７及び長手方向の他端に位置するシート端面３８と複数のスリット３１とによって区画されており、光源ユニット５Ｒ1、５Ｗ1により照光される。多色照光領域１６Ａ4は、多色照光領域１６Ａ3に隣接して複数のスリット３１によって区画されており、光源ユニット５Ｒ2、５Ｗ2により照光される。また、残りの白色照光領域１６Ｂは、光源ユニット５Ｗ5-9により照光される。
【００４７】
図５（ａ）に示す多色照光領域１６Ａ1では、区画領域の一の角部に光源ユニット５Ｒ3が配置され、区画領域の他の角部に光源ユニット５Ｗ3が配置されている。光源ユニット５Ｒ3の出射方向は、シート端面３５に向けられており、多色照光領域１６Ａ1に斜めから入光するように調整されている。光源ユニット５Ｗ3の出射方向は、シート端面３５に向けられており、光源ユニット５Ｒ3の出射方向と交差する方向に調整されている。また、多色照光領域１６Ａ1には、光源ユニット５Ｒ3、５Ｗ3に対応して第１、第２の入光部４１、４２が設けられている。第１、第２の入光部４１、４２は、光源ユニット５Ｒ3、５Ｗ3からの光の入光方向がシート端面３５を向くように形成されている。
【００４８】
この構成により、光源ユニット５Ｒ3、５Ｗ3から出射された光が、白色照光領域１６Ｂを通ることなくシート端面３５に向かうため、白色照光領域１６Ｂへの漏れ光が軽減される。したがって、光源ユニット５Ｒ3からの赤色光の漏れ光による白色照光領域１６Ｂでの混色を抑制することができる。このように、光源ユニット５Ｒ3、５Ｗ3の配置構成によって、他の照光領域への漏れ光を軽減するため、スリット３１に遮光材を設ける必要がなく、スイッチ装置１を安価に製造できる。
【００４９】
図５（ｂ）に示す多色照光領域１６Ａ2においても、多色照光領域１６Ａ1と略同様に構成されている。すなわち、区画領域の一の角部に光源ユニット５Ｒ4、他の角部に光源ユニット５Ｗ4が配置され、それぞれシート端面３６、３５に向けられている。また、多色照光領域１６Ａ2には、光源ユニット５Ｒ4、５Ｗ4に対応して第１、第２の入光部４３、４４が設けられ、それぞれ入光方向がシート端面３６、３５を向くように形成されている。この構成により、多色照光領域１６Ａ2においても多色照光領域１６Ａ1と同様な効果を得ることが可能となる。
【００５０】
図５（ｃ）に示す多色照光領域１６Ａ3においても、多色照光領域１６Ａ1と略同様に構成されている。すなわち、区画領域の一の角部に光源ユニット５Ｒ1、他の角部に光源ユニット５Ｗ1が配置され、それぞれシート端面３８、３７に向けられている。また、多色照光領域１６Ａ3には、光源ユニット５Ｒ1、５Ｗ1に対応して第１、第２の入光部４５、４６が設けられ、それぞれ入光方向がシート端面３８、３７を向くように形成されている。この構成により、多色照光領域１６Ａ3においても多色照光領域１６Ａ1と同様な効果を得ることが可能となる。
【００５１】
図５（ｃ）に示す多色照光領域１６Ａ4では、区画領域の一の角部に光源ユニット５Ｒ2が配置され、区画領域の他の角部に光源ユニット５Ｗ2が配置されている。光源ユニット５Ｒ2の出射方向は、多色照光領域１６Ａ3の第１の入光部４５に向けられている。また、光源ユニット５Ｗ2の出射方向は、光源ユニット５Ｒ3の出射方向と交差する方向に調整されている。また、多色照光領域１６Ａ4には、光源ユニット５Ｒ2、５Ｗ2に対応して第３、第４の入光部４８、４９が設けられている。
【００５２】
多色照光領域１６Ａ4の第３の入光部４８は、光源ユニット５Ｒ2からの光の入光方向が多色照光領域１６Ａ3の第１の入光部４５を向くように形成されている。すなわち、多色照光領域１６Ａ3の第１の入光部４５における入光方向の延長上に、多色照光領域１６Ａ4の第３の入光部４８が形成されている。この構成により、第３の入光部４８から多色照光領域１６Ａ4に入光した光は、光源ユニット５Ｒ1の背面により遮光されるため、多色照光領域１６Ａ4から多色照光領域１６Ａ3への漏れ光を軽減することが可能となる。
【００５３】
また、多色照光領域１６Ａ4の第４の入光部４９は、光源ユニット５Ｗ2からの光の入光方向が白色照光領域１６Ｂに向いているが、白色光であるため漏れ光により白色照光領域１６Ｂに与える影響が少ない。このように、光源ユニット５Ｒ2、５Ｗ2の配置構成によって、他の照光領域への漏れ光を軽減するため、スリット３１に遮光材を設ける必要がなく、スイッチ装置１を安価に製造できる。
【００５４】
また、光源ユニット５Ｒ1-4、５Ｗ1-4の周囲にも、複数のスリット３１が形成されている。このスリット３１により、光源ユニット５Ｒ1-4、５Ｗ1-4近傍の強い光が他の照光領域１６に漏れるのを抑制している。以上のように本実施の形態では、多色照光領域１６Ａ1-3が第１の照光領域、多色照光領域１６Ａ4が第２の照光領域として機能する。
【００５５】
図４（ｂ）に示すように、スイッチ装置１においては、各光源ユニット５Ｒ1-4、５Ｗ1-9の電流設定値が、各照光領域１６において均一な輝度が得られるように設定されている。この場合、光源ユニット５Ｒ1-4は、輝度の低い赤色光を出射するため、電流値が高め（例えば、１０．０［ｍＡ］）に設定されている。一方、光源ユニット５Ｗ1-9は、多色照光領域Ａ1-4用と白色照光小域Ｂ用とで異なる電流値が設定されている。多色照光領域Ａ1-4用の光源ユニット５Ｗ1-4は、単一の照光領域を照光させるため、電流値が低め（例えば、３．０［ｍＡ］）に設定されている。白色照光領域Ｂ用の光源ユニット５Ｗ5-9は、複数の照光領域を照光させるため、電流値が高め（例えば、７．５［ｍＡ］）に設定されている。
【００５６】
このように、スイッチ装置１は、発光色の違いや、照光させる照光領域の数の違いに応じて、全体として均一な輝度を有するように設定されている。この構成により、赤色光で照光される照光領域と白色光で照光される照光領域とにおける色の違いを際立たせることが可能となる。また、スイッチ装置１では、各光源ユニット５Ｒ1-4、５Ｗ1-4によって、多色照光領域Ａ1-4を同時に照光させないように、制御回路が形成されている。
【００５７】
図６を参照して、照光領域に形成された照光溝について説明する。図６は、本発明の実施の形態に係る導光シートの照光領域に形成された照光溝の説明図であり、（ａ）が白色照光領域、（ｂ）が多色照光領域をそれぞれ示している。
【００５８】
図６（ａ）に示すように、白色照光領域１６Ｂでは、光源ユニット５Ｗから離間するにつれて、照光溝１７が深く形成されている。これは、光源ユニット５Ｗから近い位置では、光量が多いため照光溝１７を浅く形成しても十分な輝度が得られるが、光源ユニット５Ｗから遠い位置では、光量が少ないため十分な輝度が得られないからである。よって、光源ユニット５Ｗから遠い位置では、照光溝１７を深くすることで光を強く拡散し、白色照光領域１６Ｂでの輝度の均一性を確保している。
【００５９】
図６（ｂ）に示すように、多色照光領域１６Ａでは、照光溝１７が深く形成されている。この照光溝１７の深さは、白色照光領域１６Ｂの光源ユニット５Ｗから遠い位置における照光溝１７の深さよりも深く形成されている。これは、深く形成された照光溝１７が多色照光領域１６Ａに入光された赤色光を強く拡散して、隣接する他の照光領域への漏れ光を軽減させるためである。この構成により、光源ユニット５Ｒからの赤色光の漏れ光による白色照光領域１６Ｂでの混色が抑制される。また、多色照光領域１６Ａの光源ユニット５は、少ない光量で十分な輝度が得られるため、白色照光領域１６Ｂの光源ユニット５と比較して、電流値を少なく設定することが可能となる（図４（ｂ）参照）。
【００６０】
以上のように、本実施の形態に係るスイッチ装置１によれば、多色照光領域１６において第１の入光部から入光した光が他の照光領域を通ることなくシート端面に向かうため、多色照光領域１６Ａから白色照光領域１６Ｂへの漏れ光を軽減することができる。よって、多色照光領域１６Ａからの赤色光の漏れ光が軽減され、白色照光領域１６Ｂでの混色が抑制される。このように、スリット３１に遮光材を設けることなく、他の照光領域への漏れ光を軽減することができるため、製造工程が増加することがなく、コストが増大することがない。
【００６１】
なお、上記した実施の形態においては、導光シートをポリカーボネイト樹脂により形成する構成としたが、この構成に限定されるものではない。導光シートは、導光可能なシートであればよく、例えば、ウレタン樹脂により導光シートを形成する構成としてもよい。
【００６２】
また、上記した実施の形態においては、光源ユニットの光源を発光ダイオードとして説明したが、この構成に限定されるものではない。導光シートの各照光領域を均一に発光させることが可能な光量を有していれば、どのような光源を用いてもよい。
【００６３】
また、上記した実施の形態においては、導光シートは、第１の照光領域を多色照光領域としたが、この構成に限定されるものではない。第１の照光領域は、シート端面とスリットによって区画された領域であればよく、例えば、赤色光のみの単一の光源で照光する照光領域としてもよい。
【００６４】
また、上記した実施の形態においては、多色照光領域は、赤色光と白色光により照光される構成としたが、この構成に限定されるものではない。多色照光領域は、異なる発光色で照光される領域であればよく、２種類の有色光により照光される領域としてもよい。さらに、多色照光領域は、２種類の発光色で照光される構成に限定されず、３種類以上の発光色で照光される構成としてもよい。
【００６５】
また、上記した実施の形態においては、多色照光領域の照光パターンが、多色照光領域以外の照光パターンよりも拡散性の大きいものとする構成としたが、この構成に限定されるものではない。多色照光領域の照光パターンは、他の照光領域への有色光の漏れ光を十分に抑制できる程度の光の拡散性を有していればよい。より具体的には、照光パターンを照光溝で形成する場合には、他の照光領域への有色光の漏れ光を十分に抑制できる程度の照光溝の深さを有していればよい。また、照光パターンを白色ドットの印刷で形成する場合には、多色照光領域におけるドット密度が、他の照光領域への有色光の漏れ光を十分に抑制できる程度のドット密度を有していればよい。
【００６６】
また、上記した実施の形態においては、導光シートは、上下面にスリットを跨ぐようにテープが貼着される構成としたが、この構成に限定されるものではない。導光シートは、スリットによる強度の低下が問題とならないのであれば、上下面の片側だけにテープを貼着する構成としてもよいし、テープを貼着しない構成としてもよい。また、テープは、遮光用または反射用が好ましいが、これに限定されるものではない。
【００６７】
また、上記した実施の形態においては、保持シートにより回路基板に接点ばねが保持されたスイッチ装置を例示して説明したが、この構成に限定されるものではない。本発明に係る導光シートを用いるスイッチ装置であれば、どのような構成でもよい。
【００６８】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６９】
以上説明したように、本発明は、複数の照光領域を個別に照光する際に、コストを増大させることなく、領域間の漏れ光を軽減することができるという効果を有し、特に、携帯電話等の小型の電子機器に組み込まれる導光シート、接点ばね付きシート及びスイッチ装置に有用である。
【符号の説明】
【００７０】
１  スイッチ装置
２  回路基板
３  接点ばね付きシート
５Ｒ1  光源ユニット（第１の光源）
５Ｗ1  光源ユニット
５Ｒ2  光源ユニット（第２の光源）
５Ｗ2  光源ユニット
５Ｒ3  光源ユニット（第１の光源）
５Ｗ3  光源ユニット
５Ｒ4  光源ユニット（第１の光源）
５Ｗ4  光源ユニット
６  固定接点
１１  保持シート
１２  接点ばね
１３  導光シート
１４  両面テープ
１６Ａ1  多色照光領域（第１の照光領域）
１６Ａ2  多色照光領域（第１の照光領域）
１６Ａ3  多色照光領域（第１の照光領域）
１６Ａ4  多色照光領域（第２の照光領域）
１６Ｂ  白色照光領域
１７  照光溝
１８  操作キー
１９  キーマット部材
３１  スリット
３２、３３  テープ
３５−３８  シート端面
４１、４３、４５  第１の入光部
４２、４４、４６  第２の入光部
４８  第３の入光部
【図１】
2011181211.tif 000003
【図２】
2011181211.tif 000004
【図３】
2011181211.tif 000005
【図４】
2011181211.tif 000006
【図５】
2011181211.tif 000007
【図６】
2011181211.tif 000008